(57)【要約】【課題】観察者が観察する画像の輝度が低下するのを抑制することが可能な画像表示装置を提供する。【解決手段】この画像表示装置１は、バックライト５から照射された光を、約１３５°の偏光軸を有する光として出射させる偏光制御領域７ａと、約４５°の偏光軸を有する光として出射させる偏光制御領域７ｂとを含む偏光制御液晶パネル７と、偏光制御液晶パネル７により分離された約１３５°および約４５°の偏光軸を有する光を、それぞれ、所定の方向に進行させるように、Ｘ方向に沿って配置されるとともにＹ方向に延びるように形成される複数のレンズ部８ａを有するレンチキュラーレンズ８と、入射した光の偏光軸を変化させずに透過させる透過領域９ａと、入射した光の偏光軸を約９０°変化させる偏光領域９ｂとを含む位相差板とを備えている。また、レンチキュラーレンズ８のレンズ部８ａのＸの方向の長さＤ２は、表示パネル２の画素２１〜２３の少なくとも１つの画素のＸ方向の長さＤ１と実質的に対応するように設定されている。【選択図】図９
2007108521.tif 000002
【特許請求の範囲】
【請求項１】
画像を表示するための複数の画素を有する表示手段と、
前記表示手段に光を照射するための光源と、
前記光源から照射された光を、第１の偏光軸を有する光として出射させる第１偏光制御領域と、第２の偏光軸を有する光として出射させる第２偏光制御領域とを含む偏光制御手段と、
前記偏光制御手段により分離された前記第１の偏光軸を有する光および前記第２の偏光軸を有する光を、それぞれ、所定の方向に進行させるように、観察者の左右の目を結んだ第１の方向に沿って配置された複数のレンズ部を有するレンズと、
入射した光を第３の偏光軸を有する光として出射させる第３偏光制御領域と、入射した光を第４の偏光軸を有する光として出射させる第４偏光制御領域とを含み、前記第３偏光制御領域および前記第４偏光制御領域が、前記第１の方向に沿って延びるように設けられるとともに、前記第１の方向に交差する第２の方向に沿って交互に設けられる位相差板とを備え、
前記レンズのレンズ部の前記第１の方向の長さは、前記表示手段の少なくとも１つの画素の前記第１の方向の長さと実質的に対応するように設定されている、画像表示装置。
【請求項２】
前記観察者から前記表示手段の画素までの空気換算した距離をＬ１とし、前記表示手段の少なくとも１つの画素の前記第１の方向の長さをＤ１とし、前記観察者から前記レンズまでの空気換算した距離をＬ２とし、前記レンズのレンズ部の前記第１の方向の長さをＤ２とすると、
前記レンズのレンズ部の前記第１の方向の長さＤ２は、以下の関係式（１）を実質的に満たすように設定されている、請求項１に記載の画像表示装置。
Ｌ１：Ｄ１＝Ｌ２：Ｄ２・・・（１）
【請求項３】
前記表示手段は、表示パネルと、前記表示パネルの前記観察者側に配置される第１偏光板と、前記表示パネルを介して前記第１偏光板に対向するように配置される第２偏光板とを含むとともに、
前記レンズは、前記レンズ部と、前記レンズ部を支持するための基材とを含み、
前記Ｄ１を前記表示パネルの画素の前記第１の方向の長さｄｍｇと前記画素の数ｎとからｄｍｇ×ｎとし、前記観察者から前記第１偏光板の表面までの距離をＤとし、前記表示パネルの厚みをｔｍｇとするとともにその屈折率をＮｇとし、前記第１偏光板の厚みをｔｐ１とするとともにその屈折率をＮｐ１とし、前記第２偏光板の厚みをｔｐ２とするとともにその屈折率をＮｐ２とし、前記位相差板の厚みをｔｘとするとともにその屈折率をＮａとし、前記レンズの基材の厚みをｔｒとするとともにその屈折率をＮｇｒとし、前記偏光制御手段の厚みをｔｇとし、前記レンズのレンズ部の焦点距離をｆｒとすると、
前記レンズのレンズ部の前記第１の方向の長さＤ２は、以下の式（２）を実質的に満たすように設定されている、請求項２に記載の画像表示装置。
Ｄ２＝｛Ｄ＋ｔｐ１／Ｎｐ１＋ｔｐ２／Ｎｐ２＋ｔｍｇ／Ｎｇ＋ｔｘ／Ｎａ＋ｔｒ／Ｎｇｒ＋（ｆｒ−ｔｇ／２）／Ｎｇｒ｝×ｄｍｇ×ｎ／（Ｄ＋ｔｐ１／Ｎｐ１＋ｔｍｇ／２Ｎｇ）・・・（２）
【請求項４】
前記表示手段の画素は、画像を表示するための開口部と、前記開口部を取り囲むように設けられる遮光部とを含み、
前記レンズは、前記レンズ部の間の溝部が、前記表示手段の画素の遮光部に実質的に対応するように配置されている、請求項１〜３のいずれか１項に記載の画像表示装置。
【請求項５】
前記偏光制御手段の第１偏光制御領域および第２偏光制御領域は、前記第１の方向に沿って交互に設けられるとともに前記第２の方向に沿って延びるように設けられており、
前記レンズのレンズ部の前記第１の方向の長さは、少なくとも１組の前記第１偏光制御領域および前記第２偏光制御領域の前記第１の方向の長さと実質的に対応するように設定されている、請求項１〜４のいずれか１項に記載の画像表示装置。
【請求項６】
前記観察者から前記レンズのレンズ部までの空気換算した距離をＬ２とし、前記レンズのレンズ部の前記第１の方向の長さをＤ２とし、前記観察者から前記偏光制御手段の第１偏光制御領域および第２偏光制御領域までの空気換算した距離をＬ３とし、前記偏光制御手段の少なくとも１組の第１偏光制御領域および前記第２偏光制御領域の前記第１の方向の長さをＤ３とすると、
前記レンズのレンズ部の前記第１の方向の長さＤ２は、以下の関係式（３）を実質的に満たすように設定されている、請求項５に記載の画像表示装置。
Ｌ２：Ｄ２＝Ｌ３：Ｄ３・・・（３）
【請求項７】
前記レンズは、前記第１の方向に沿って配置されるとともに前記第２の方向に沿って延びるように形成される複数のレンズ部を有するレンチキュラーレンズを含む、請求項１〜６のいずれか１項に記載の画像表示装置。
【請求項８】
前記表示手段には、前記位相差板の第３偏光制御領域に対応する位置に表示される第１画像と、第４偏光制御領域に対応する位置に表示される第２画像とが表示されている、請求項１〜７のいずれか１項に記載の画像表示装置。
【請求項９】
前記偏光制御手段は、一対の透明基板と、前記一対の透明基板の間に配置される液晶と、一方の前記透明基板に形成される第１電極および第２電極と、他方の前記透明基板に形成される第３電極とを有する偏光制御液晶パネルを含み、
前記偏光制御液晶パネルは、前記偏光制御液晶パネルの第１電極、第２電極および第３電極への電圧の印加状態を変化させることにより、前記偏光制御液晶パネルの第１偏光制御領域の位置と第２偏光制御領域の位置とを、前記表示手段の１／ｎフレーム期間（ｎは２以上の自然数）毎に、入れ替えることが可能であり、
前記表示手段に表示される第１画像および第２画像は、前記偏光制御液晶パネルの第１偏光制御領域と第２偏光制御領域との入れ替わりに同期して、前記１／ｎフレーム期間毎に、入れ替えられる、請求項８に記載の画像表示装置。
【請求項１０】
前記偏光制御液晶パネルの第１電極、第２電極および第３電極への電圧の印加状態を変化させることにより、前記偏光制御液晶パネルの第１偏光制御領域および前記第２偏光制御領域の第１の方向の長さと位置とを変化させることによって、前記光源から照射された光の到達領域を制御して、異なる観察位置に位置する観察者に異なる平面画像を提供するとともに立体画像を提供する、請求項９に記載の画像表示装置。
【請求項１１】
前記１／ｎフレーム期間は、１／２フレーム期間である、請求項９または１０に記載の画像表示装置。
【発明の詳細な説明】
【技術分野】
【０００１】
この発明は、画像表示装置に関し、特に、立体画像などを提供する画像表示装置に関する。
【背景技術】
【０００２】
従来、３次元の立体画像を表示する立体表示装置や異なる観察位置に位置する観察者に異なる画像を提示する２画面表示装置が知られている。また、従来、３次元の立体画像を表示する立体表示装置の１つの手法として、パララックスバリア方式が提案されている（たとえば、特許文献１参照）。
【０００３】
上記特許文献１には、画像表示面の観察者側に配置された電子式パララックスバリアを、マイクロコンピュータなどの制御手段により制御することによって、電子式パララックスバリアの所定の位置に、所定の形状の開口部および遮光部をストライプ状に形成することが可能な３次元画像表示装置が開示されている。この特許文献１に開示された３次元画像表示装置では、観察者に３次元画像を提供する場合には、観察者の左目に左眼用の画像が入射するとともに、観察者の右目に右目用画像が入射するように、電子式パララックスバリアの開口部が形成される。
【０００４】
【特許文献１】特許２８５７４２９号公報
【発明の開示】
【発明が解決しようとする課題】
【０００５】
しかしながら、上記特許文献１に開示された３次元画像表示装置では、画像表示面の観察者側に、電子式パララックスバリアを配置しているため、観察者は、電子式パララックスバリアを介して表示パネルを観察する必要があるという不都合がある。その結果、電子式パララックスバリアの遮光部によって観察者が観察する画像が表示される表示パネルの輝度が低下して見えるという問題点がある。
【０００６】
この発明は、上記のような課題を解決するためになされたものであり、この発明の１つの目的は、観察者が観察する画像の輝度が低下して見えるのを抑制することが可能な画像表示装置を提供することである。
【課題を解決するための手段および発明の効果】
【０００７】
上記目的を達成するために、この発明の一の局面による画像表示装置は、画像を表示するための複数の画素を有する表示手段と、表示手段に光を照射するための光源と、光源から照射された光を、第１の偏光軸を有する光として出射させる第１偏光制御領域と、第２の偏光軸を有する光として出射させる第２偏光制御領域とを含む偏光制御手段と、偏光制御手段により分離された第１の偏光軸を有する光および第２の偏光軸を有する光を、それぞれ、所定の方向に進行させるように、観察者の左右の目を結んだ第１の方向に沿って配置された複数のレンズ部を有するレンズと、入射した光を第３の偏光軸を有する光として出射させる第３偏光制御領域と、入射した光を第４の偏光軸を有する光として出射させる第４偏光制御領域とを含み、第３偏光制御領域および第４偏光制御領域が、第１の方向に沿って延びるように設けられるとともに、第１の方向に交差する第２の方向に沿って交互に設けられる位相差板とを備え、レンズのレンズ部の第１の方向の長さは、表示手段の少なくとも１つの画素の第１の方向の長さと実質的に対応するように設定されている。
【０００８】
この一の局面による画像表示装置では、上記のように、光源から照射された光を、第１の偏光軸を有する光として出射させる第１偏光制御領域と、第２の偏光軸を有する光として出射させる第２偏光制御領域とを含む偏光制御手段と、偏光制御手段により分離された第１の偏光軸を有する光および第２の偏光軸を有する光を、それぞれ、所定の方向に進行させるように、観察者の左右の目を結んだ第１の方向に沿って配置された複数のレンズ部を有するレンズとを設けることによって、レンズを通過した光に指向性を持たせることができる。これにより、観察者は、表示手段を出射した光を所定の角度の方向に進行するように制限する部材（たとえば、バリア）を介して表示手段を観察する場合と異なり、直接表示手段を観察することができるので、観察者が観察する表示手段に表示される画像の輝度が低下して見えるのを抑制することができる。
【０００９】
また、一の局面では、入射した光を第３の偏光軸を有する光として出射させる第３偏光制御領域と、入射した光を第４の偏光軸を有する光として出射させる第４偏光制御領域とを含み、第３偏光制御領域および第４偏光制御領域が、第１の方向に沿って延びるように設けられるとともに、第１の方向に交差する第２の方向に沿って交互に設けられる位相差板を設けることによって、位相差板の第３偏光制御領域を透過した光と、第４偏光制御領域を透過した光とを分離した状態で、観察者側に進行させることができる。これにより、一方の観察者は位相差板の第３偏光制御領域に対応する表示手段の部分を観察するとともに、他方の観察者は位相差板の第４偏光制御領域に対応する表示手段の部分を観察することができる。このため、一方および他方の観察者は、第１の方向に沿って延びるとともに第２の方向に沿って交互に設けられる第３偏光制御領域および第４偏光制御領域に対応する、横ストライプ状の表示手段をそれぞれ観察することができる。したがって、一方および他方の観察者は、レンズのレンズ部の第１の方向の長さとは無関係に、表示手段の第１の方向に沿って延びる部分の全てを観察することができるので、画素ピッチを小さくしたとしても画素ピッチに合わせてレンズ部の第１の方向の長さを小さくする必要がない。これにより、第１の方向に沿って配列される画素の画素ピッチの小さい高精細な表示手段を用いることができるので、観察者は、高精細な画像を観察することができる。また、レンズのレンズ部の第１の方向の長さを、表示手段の少なくとも１つ（ｎ個（ｎは正の整数））の画素の第１の方向の長さと実質的に対応するように設定することによって、レンズのレンズ部に入射した光のみが、画像が表示される画素を通過するようにすることができる。これにより、レンズ部とレンズ部との間の溝部に入射した光の偏光が乱された場合でも、その偏光が乱された光は、画像が表示される画素を通過しないので、表示手段に表示される画質が低下したり、輝度が低下したりするのを抑制することができる。
【００１０】
上記一の局面による画像表示装置において、好ましくは、観察者から表示手段の画素までの空気換算した距離をＬ１とし、表示手段の少なくとも１つの画素の第１の方向の長さをＤ１とし、観察者からレンズまでの空気換算した距離をＬ２とし、レンズのレンズ部の第１の方向の長さをＤ２とすると、レンズのレンズ部の第１の方向の長さＤ２は、以下の関係式（１）を実質的に満たすように設定されている。
Ｌ１：Ｄ１＝Ｌ２：Ｄ２・・・（１）
このように、関係式（１）を用いれば、容易に、レンズのレンズ部の第１の方向の長さＤ２を、表示手段の少なくとも１つの画素の第１の方向の長さＤ１と実質的に対応するように設定することができる。その結果、レンズ部とレンズ部との間の溝部に入射した光の偏光が乱された場合でも、表示パネルに表示される画質が低下したり、輝度が低下したりするのを抑制することができる。
【００１１】
この場合、好ましくは、表示手段は、表示パネルと、表示パネルの観察者側に配置される第１偏光板と、表示パネルを介して第１偏光板に対向するように配置される第２偏光板とを含むとともに、レンズは、レンズ部と、レンズ部を支持するための基材とを含み、Ｄ１を表示パネルの画素の第１の方向の長さｄｍｇと画素の数ｎとからｄｍｇ×ｎとし、観察者から第１偏光板の表面までの距離をＤとし、表示パネルの厚みをｔｍｇとするとともにその屈折率をＮｇとし、第１偏光板の厚みをｔｐ１とするとともにその屈折率をＮｐ１とし、第２偏光板の厚みをｔｐ２とするとともにその屈折率をＮｐ２とし、位相差板の厚みをｔｘとするとともにその屈折率をＮａとし、レンズの基材の厚みをｔｒとするとともにその屈折率をＮｇｒとし、偏光制御手段の厚みをｔｇとし、レンズのレンズ部の焦点距離をｆｒとすると、レンズのレンズ部の第１の方向の長さＤ２は、以下の式（２）を実質的に満たすように設定されている。
Ｄ２＝｛Ｄ＋ｔｐ１／Ｎｐ１＋ｔｐ２／Ｎｐ２＋ｔｍｇ／Ｎｇ＋ｔｘ／Ｎａ＋ｔｒ／Ｎｇｒ＋（ｆｒ−ｔｇ／２）／Ｎｇｒ｝×ｄｍｇ×ｎ／（Ｄ＋ｔｐ１／Ｎｐ１＋ｔｍｇ／２Ｎｇ）・・・（２）
このように、関係式（２）を用いれば、各部材の厚み、その屈折率およびレンズのレンズ部の焦点距離から、容易に、表示パネルの少なくとも１つの画素の第１の方向の長さＤ１と実質的に対応するように設定することが可能な、レンズのレンズ部の第１の方向の長さＤ２を算出することができる。その結果、レンズ部とレンズ部との間の溝部に入射した光の偏光が乱された場合でも、表示パネルに表示される画質が低下したり、輝度が低下したりするのを抑制することができる。
【００１２】
上記一の局面による画像表示装置において、好ましくは、表示手段の画素は、画像を表示するための開口部と、開口部を取り囲むように設けられる遮光部とを含み、レンズは、レンズ部の間の溝部が、表示手段の画素の遮光部に実質的に対応するように配置されている。このように構成すれば、レンズ部とレンズ部との間の溝部に入射して偏光が乱された光を、表示手段の画素の遮光部により遮光することができる。その結果、表示パネルに表示される画質の低下や輝度の低下をもたらす光が、表示パネルの開口部に入射するのを抑制することができるので、表示パネルに表示される画質が低下したり輝度が低下したりするのを抑制することができる。
【００１３】
上記一の局面による画像表示装置において、好ましくは、偏光制御手段の第１偏光制御領域および第２偏光制御領域は、第１の方向に沿って交互に設けられるとともに第２の方向に沿って延びるように設けられており、レンズのレンズ部の第１の方向の長さは、少なくとも１組の第１偏光制御領域および第２偏光制御領域の第１の方向の長さと実質的に対応するように設定されている。このように構成すれば、偏光制御手段の第１偏光制御領域および第２偏光制御領域に入射した光を、それぞれ、レンズのレンズ部により、観察者側の位置に分離して到達させることができる。これにより、たとえば、レンズのレンズ部の第１の方向の長さを、１組の第１偏光制御領域および第２偏光制御領域の第１の方向の長さと実質的に対応するように設定すれば、観察者側の位置で２つの光の到達領域を形成することができる。また、レンズのレンズ部の第１の方向の長さを、２組の第１偏光制御領域および第２偏光制御領域の第１の方向の長さと実質的に対応するように設定すれば、観察者側で４つの光の到達領域を形成することができる。その結果、容易に、異なる観察位置に位置する観察者に異なる画像を提供することができるとともに、立体画像を提供することができる。
【００１４】
上記一の局面による画像表示装置において、好ましくは、観察者からレンズのレンズ部までの空気換算した距離をＬ２とし、レンズのレンズ部の第１の方向の長さをＤ２とし、観察者から偏光制御手段の第１偏光制御領域および第２偏光制御領域までの空気換算した距離をＬ３とし、偏光制御手段の少なくとも１組の第１偏光制御領域および第２偏光制御領域の第１の方向の長さをＤ３とすると、レンズのレンズ部の第１の方向の長さＤ２は、以下の関係式（３）を実質的に満たすように設定されている。
Ｌ２：Ｄ２＝Ｌ３：Ｄ３・・・（３）
このように、関係式（３）を用いれば、容易に、レンズのレンズ部の第１の方向の長さを、偏光制御手段の少なくとも１組の第１偏光制御領域および第２偏光制御領域の第１の方向の長さと実質的に対応するように設定することができる。その結果、容易に、異なる観察位置に位置する観察者に異なる画像を提供することができるとともに立体画像を提供することができる。
【００１５】
上記一の局面による画像表示装置において、好ましくは、レンズは、第１の方向に沿って配置されるとともに第２の方向に沿って延びるように形成される複数のレンズ部を有するレンチキュラーレンズを含む。このようにレンチキュラーレンズを用いれば、容易に、偏光制御手段の第１偏光制御領域および第２偏光制御領域を通過した後、レンチキュラーレンズのレンズ部を通過した光に指向性を持たせることができる。その結果、観察者は、表示手段を出射した光を所定の角度の方向に進行するように制限する部材（たとえば、バリア）を介して表示手段を観察する場合と異なり、直接表示手段を観察することができるので、観察者が観察する表示手段の輝度が低下して見えるのを抑制することができる。
【００１６】
上記一の局面による画像表示装置において、好ましくは、表示手段には、位相差板の第３偏光制御領域に対応する位置に表示される第１画像と、第４偏光制御領域に対応する位置に表示される第２画像とが表示されている。このように構成すれば、位相差板の第３偏光制御領域から出射した光を表示手段の第１画像を付加した状態で進行させるとともに、位相差板の第４偏光制御領域から出射した光を表示手段の第２画像を付加した状態で進行させることができる。その結果、第１画像および第２画像としてそれぞれ異なる平面画像を表示させることによって、異なる観察位置に位置する観察者に異なる平面画像を提供することができるとともに、第１画像および第２画像としてそれぞれ右目用画像および左目用画像を表示させることによって、観察者に立体画像を提供することができる。
【００１７】
上記位相差板の第３偏光制御領域および第４偏光制御領域に対応するように表示パネルに第１画像および第２画像が表示される構成において、好ましくは、偏光制御手段は、一対の透明基板と、一対の透明基板の間に配置される液晶と、一方の透明基板に形成される第１電極および第２電極と、他方の透明基板に形成される第３電極とを有する偏光制御液晶パネルを含み、偏光制御液晶パネルは、偏光制御液晶パネルの第１電極、第２電極および第３電極への電圧の印加状態を変化させることにより、偏光制御液晶パネルの第１偏光制御領域の位置と第２偏光制御領域の位置とを、表示手段の１／ｎフレーム期間（ｎは２以上の自然数）毎に、入れ替えることが可能であり、表示手段に表示される第１画像および第２画像は、偏光制御液晶パネルの第１偏光制御領域と第２偏光制御領域との入れ替わりに同期して、１／ｎフレーム期間毎に、入れ替えられる。このように構成すれば、少なくとも１フレーム期間の間に、一方の観察者は、位相差板の第３偏光制御領域に対応する表示手段に表示される第１画像と、位相差板の第４偏光制御領域に対応する表示手段に表示される第２画像との両方を観察することができる。このため、一方の観察者は、１フレーム期間の間に、表示パネルの全ての領域に表示される画像を見ることができる。また、同様にして、少なくとも１フレーム期間の間に、他方の観察者は、位相差板の第４偏光制御領域に対応する表示手段に表示される第２画像と、位相差板の第３偏光制御領域に対応する表示手段に表示される第１画像との両方を観察することができる。このため、他方の観察者も、１フレーム期間の間に、表示パネルの全ての領域に表示される画像を見ることができる。その結果、観察者は、画像劣化の少ない画像を見ていると認識させることができる。
【００１８】
上記１／ｎフレーム期間毎に偏光制御液晶パネルの第１偏光制御領域の位置と第２偏光制御領域の位置とを入れ替えることが可能な偏光制御液晶パネルを備えた画像表示装置において、好ましくは、偏光制御液晶パネルの第１電極、第２電極および第３電極への電圧の印加状態を変化させることにより、偏光制御液晶パネルの第１偏光制御領域および第２偏光制御領域の第１の方向の長さと位置とを変化させることによって、光源から照射された光の到達領域を制御して、異なる観察位置に位置する観察者に異なる平面画像を提供するとともに立体画像を提供する。このように構成すれば、異なる観察位置に位置する観察者のそれぞれの位置に光の到達領域を制御することにより、異なる観察位置に位置する観察者に異なる平面画像を提供することができるとともに、観察者のそれぞれの右目および左目の位置に光の到達領域を制御することにより、観察者に立体画像を提供することができる。
【００１９】
上記１／ｎフレーム期間毎に偏光制御液晶パネルの第１偏光制御領域の位置と第２偏光制御領域の位置とを入れ替えることが可能な偏光制御液晶パネルを備えた画像表示装置において、好ましくは、１／ｎフレーム期間は、１／２フレーム期間である。このように構成すれば、１フレーム期間の間に、一方の観察者は、位相差板の第３偏光制御領域に対応する表示手段に表示される第１画像と、位相差板の第４偏光制御領域に対応する表示手段に表示される第２画像との両方を観察することができる。このため、一方の観察者は、１フレーム期間の間に、表示パネルの全ての領域に表示される画像を見ることができる。また、同様にして、１フレーム期間の間に、他方の観察者は、１フレーム期間の間に、位相差板の第４偏光制御領域に対応する表示手段に表示される第２画像と、位相差板の第３偏光制御領域に対応する表示手段に表示される第１画像との両方を観察することができる。このため、他方の観察者は、表示パネルの全ての領域に表示される画像を見ることができる。その結果、観察者に画像劣化の少ない画像を見ていると認識させることができる。
【発明を実施するための最良の形態】
【００２０】
以下、本発明を具体化した実施形態を図面に基づいて説明する。
【００２１】
図１は、本発明の一実施形態による画像表示装置を示した分解斜視図であり、図２は、図１に示した一実施形態による画像表示装置の側面図である。図３は、図１に示した一実施形態による画像表示装置の表示パネルを観察者が観察した状態を上方から示した図である。図４〜図１０は、図１に示した一実施形態による画像表示装置の各部材の詳細構造を示した図である。まず、図１〜図１０を参照して、本実施形態による画像表示装置１の構成について説明する。
【００２２】
本実施形態の画像表示装置１は、図１〜図３に示すように、画像を表示するための表示パネル２と、表示パネル２を挟み込むように配置される偏光板３および４と、表示パネル２に光を照射するためのバックライト５と、バックライト５の観察者１０および２０側に配置される偏光板６と、偏光板６の観察者１０および２０側に配置される偏光制御液晶パネル７と、偏光制御液晶パネル７の観察者１０および２０側に配置されるレンチキュラーレンズ８と、レンチキュラーレンズ８と偏光板４との間に配置される位相差板９とを備えている。なお、バックライト５は、本発明の「光源」の一例である。また、本発明の「表示手段」は、表示パネル２と、偏光板３および４とを含む概念である。そして、偏光板３および偏光板４は、それぞれ、本発明の「第１偏光板」および「第２偏光板」の一例である。なお、画像表示装置１の各部材は、図２に示すように、互いに接するように配置されている。
【００２３】
本実施形態では、表示パネル２は、ＯＦＦ状態で、入射した光の偏光軸を約９０°変化させた状態で出射させるとともに、ＯＮ状態で、入射した光の偏光軸をほぼ変化させないで出射させる９０°ＴＮ（Ｔｗｉｓｔｅｄ  Ｎｅｍａｔｉｃ）液晶パネルからなる。そして、表示パネル２は、２枚のガラス（屈折率：Ｎｇ（１．５３））板で液晶を挟み込んだ構造を有しており、ｔｍｇ（図９および図１０参照）の厚みを有している。この表示パネル２は、図４に示すように、赤色（Ｒ）、緑色（Ｇ）および青色（Ｂ）の光の３原色をそれぞれ表示するための画素２１、２２および２３を有している。この画素２１〜２３は、それぞれ、Ｘ方向にｄｍｐ（図９参照）の長さを有している。そして、その画素２１は、赤色（Ｒ）を表示する領域の画素開口部２１ａを含み、画素２２は、緑色（Ｇ）を表示する領域の画素開口部２２ａを含み、画素２３は、青色（Ｂ）を表示する領域の画素開口部２３ａを含んでいる。また、画素開口部２１ａ、２２ａおよび２３ａ以外の部分には、画素開口部２１ａ、２２ａおよび２３ａの周りを、それぞれ、囲むように遮光部２４が設けられている。そして、本実施形態では、遮光部２４は、後述するレンチキュラーレンズ８のレンズ部８ａの間の溝部８ｃ（図２参照）に実質的に対応するように配置されている。
【００２４】
また、本実施形態では、表示パネル２を挟み込むように配置される偏光板３および４は、観察者１０および２０側から見て約４５°の偏光軸を有するように設定されているので、観察者１０および２０側から見て約４５°の偏光軸を有する光のみを透過する機能を有している。以下、特に記載のない限り、偏光軸の角度は、観察者１０および２０側から見た角度を示す。また、偏光板３および４は、樹脂（屈折率：Ｎｐ（１．５２））からなり、それぞれ、ｔｐ１（図９および図１０参照）およびｔｐ２（図９および図１０参照）の厚みを有している。また、偏光板６は、約１３５°の偏光軸を有するように設定されており、バックライト５から照射された光のうち、約１３５°の偏光軸を有する光のみを透過するように構成されている。
【００２５】
また、本実施形態では、偏光制御液晶パネル７は、ＯＦＦ状態で、入射した光の偏光軸を約９０°変化させた状態で出射させるとともに、ＯＮ状態で、入射した光の偏光軸をほぼ変化させないで出射させる９０°ＴＮ液晶パネルからなる。そして、偏光制御液晶パネル７は、図５に示すように、偏光板６を通過した光の偏光軸を変化させずに出射させるＯＮ状態の偏光制御領域７ａと、偏光板６を通過した光の偏光軸を約９０°変化させて出射させるＯＦＦ状態の偏光制御領域７ｂとを含んでいる。したがって、バックライト５から照射された後、偏光板６を通過した約１３５°の偏光軸を有する光は、偏光制御領域７ａを通過することにより、偏光軸が変化されずに、約１３５°の偏光軸（第１の偏光軸）を有する光となって出射され、偏光制御領域７ｂを通過することにより、偏光軸が９０°変化されて、約４５°の偏光軸（第２の偏光軸）を有する光となって出射される。この偏光制御領域７ａおよび偏光制御領域７ｂは、それぞれ、Ｘ方向にｒｐｌ（図１０参照）の長さを有している。なお、偏光制御液晶パネル７は、本発明の「偏光制御手段」の一例である。そして、偏光制御領域７ａおよび偏光制御領域７ｂは、それぞれ、本発明の「第１偏光制御領域」および「第２偏光制御領域」の一例である。
【００２６】
また、本実施形態では、偏光制御液晶パネル７は、図６に示すように、ガラス基板からなる一対の透明基板７１および７２と、一対の透明基板７１および７２の間に配置される液晶７３と、透明基板７１に形成される複数の短形状の電極７４と、透明基板７２に形成される電極７５とを含んでおり、ｔｇ（図９および図１０参照）の厚みを有している。また、透明基板７１の複数の短形状の電極７４は、観察者１０の右目１０ａおよび左目１０ｂ（図１および図３参照）を結んだＸ方向（水平方向：第１の方向）と直交するＹ方向（垂直方向：第２の方向）に延びるように形成されている。これにより、透明基板７１に設けられる複数の電極７４の内から選択した電極７４に電圧を印加することにより、その選択された電極７４に対応する部分が、入射した光の偏光軸を変化させずに出射させるＯＮ状態の偏光制御領域７ａとなり、それ以外の部分が、入射した光の偏光軸を約９０°変化させて出射させるＯＦＦ状態の偏光制御領域７ｂとなる。以下、特に記載のない限り、右目１０ａおよび左目１０ｂは、観察者１０の右目１０ａおよび左目１０ｂであり、右目２０ａおよび左目２０ｂは、観察者２０の右目２０ａおよび左目２０ｂである。なお、電極７５は、本発明の「第３電極」の一例である。
【００２７】
レンチキュラーレンズ８は、図７に示すように、実質的に半円柱状の複数のレンズ部８ａと、複数のレンズ部８ａを支持するための基材８ｂとを含んでいる。この実質的に半円柱状の複数のレンズ部８ａは、Ｘ方向に沿って配置されるとともに、Ｙ方向に沿って延びるように形成されている。これにより、偏光制御液晶パネル７の偏光制御領域７ａおよび偏光制御領域７ｂとにより分離された光を、それぞれ、観察者１０および観察者２０側の位置に分離して集光させることが可能である。具体的には、レンチキュラーレンズ８は、図３に示すように、偏光制御液晶パネル７の偏光制御領域７ａを通過した光を、観察者１０側に進行させるとともに、偏光制御液晶パネル７の偏光制御領域７ｂを通過した光を、観察者２０側に進行させる機能を有している。また、レンチキュラーレンズ８のレンズ部８ａは、Ｘ方向にＤ２（図９および図１０参照）の長さを有している。また、レンチキュラーレンズ８のレンズ部８ａおよび基材８ｂは、樹脂（屈折率：Ｎｇｒ（１．５３））からなり、基材８ｂは、ｔｒ（図９および図１０参照）の厚みを有している。また、図２および図７に示すように、凸状のレンズ部８ａが隣接する境界の部分には、Ｙ方向に沿って延びる溝部８ｃが形成されている。この溝部８ｃは、上記したように、表示パネル２の遮光部２４（図３および図４参照）に対応するように配置されている。
【００２８】
また、レンチキュラーレンズ８は、図２に示すように、基材８ｂが観察者１０および２０側に配置されるとともに、レンズ部８ａがバックライト５側になるように配置される。そして、レンチキュラーレンズ８は、レンズ部８ａの焦点距離ｆｒが偏光制御液晶パネル７の厚み方向の中心位置（液晶７３（図６参照）の位置）に一致するように配置される。なお、レンチキュラーレンズ８は、本発明の「レンズ」の一例である。
【００２９】
位相差板９は、図８に示すように、入射した光の偏光軸を変化させずに透過させる透過領域９ａと、入射した光の偏光軸を９０°変化させて透過させる偏光領域９ｂとを含んでいる。したがって、たとえば、約１３５°の偏光軸を有する光が透過領域９ａを通過することにより、偏光軸が変化されずに、約１３５°の偏光軸（第３の偏光軸）を有する光となって出射され、偏光領域９ｂを通過することにより、偏光軸が９０°変化されて、約４５°の偏光軸（第４の偏光軸）を有する光となって出射される。また、約４５°の偏光軸を有する光が透過領域９ａを通過することにより、偏光軸が変化されずに、約４５°の偏光軸（第３の偏光軸）を有する光となって出射され、偏光領域９ｂを通過することにより、偏光軸が９０°変化されて、約１３５°の偏光軸（第４の偏光軸）を有する光となって出射される。また、透過領域９ａおよび偏光領域９ｂは、Ｘ方向に延びるとともにＹ方向に交互に設けられている。また、位相差板９は、ガラス（屈折率：Ｎｇ（１．５３））からなり、ｔｘ（図９および図１０参照）の厚みを有している。なお、透過領域９ａおよび偏光領域９ｂは、それぞれ、本発明の「第３偏光制御領域」および「第４偏光制御領域」の一例である。
【００３０】
次に、図９および図１０を参照して、表示パネル２、レンチキュラーレンズ８および偏光制御液晶パネル７の位置関係について詳細に説明する。
【００３１】
まず、図９を参照して、表示パネル２とレンチキュラーレンズ８との位置関係について説明する。レンチキュラーレンズ８のレンズ部８ａのＸ方向の長さＤ２は、表示パネル２の少なくとも１つの画素２１〜２３のＸ方向の長さＤ１（＝ｎ（画素２１〜２３の数（図９では、２つ））×ｄｍｐ）と実質的に対応するように設定されている。具体的には、画素２１〜２３を底辺とする三角形（ハッチング領域（斜線領域））Ａ１と、レンチキュラーレンズ８のレンズ部８ａと基材８ｂとの境界面を底辺とする三角形Ａ２とが相似関係となるように、レンチキュラーレンズ８のレンズ部８ａのＸ方向の長さＤ２が設定されている。したがって、上記した三角形Ａ１と三角形Ａ２との相似関係から、観察者１０および２０から表示パネル２の画素２１〜２３の中心位置までの空気換算した距離Ｌ１と、観察者１０および２０からレンチキュラーレンズ８のレンズ部８ａと基材８ｂとの境界までの空気換算した距離Ｌ２と、レンズ部８ａのＸ方向の長さＤ２と、画素２１〜２３のＸ方向の長さＤ１とを用いて、以下の関係式（４）が導かれる。
Ｌ１：Ｄ１＝Ｌ２：Ｄ２・・・（４）
【００３２】
また、距離Ｌ１は、距離Ｄと、偏光板３の厚みｔｐ１およびその屈折率Ｎｐと、表示パネル２の半分の厚みｔｍｇ／２およびその屈折率Ｎｇとを用いることによって、以下の式（５）により算出される。
Ｌ１＝Ｄ＋ｔｐ１／Ｎｐ＋ｔｍｇ／２Ｎｇ・・・（５）
【００３３】
また、距離Ｌ２は、距離Ｄと、偏光板３の厚みｔｐ１およびその屈折率Ｎｐと、表示パネル２の厚みｔｍｇおよびその屈折率Ｎｇと、偏光板４の厚みｔｐ２およびその屈折率Ｎｐと、位相差板９の厚みｔｘおよびその屈折率Ｎｇと、レンチキュラーレンズ８の基材８ｂの厚みｔｒおよびその屈折率Ｎｇｒと、偏光制御液晶パネル７の半分の厚みｔｇ／２と、レンチキュラーレンズ８のレンズ部８ａの焦点距離ｆｒとを用いることによって、以下の式（６）により算出される。この際、レンズ部８ａのレンズ中心が、レンズ部８ａと基材８ｂとの境界面に位置しているとして、レンズ部８ａのレンズ中心から偏光制御液晶パネル７の中心位置である液晶７３までの距離が、レンズ部８ａの焦点距離ｆｒとなるように、レンチキュラーレンズ８が配置されている。したがって、図２に示すように、レンズ部８ａの厚み（ｆｒ−ｔｇ／２）は、レンズ部８ａと基材８ｂとの境界面から偏光制御液晶パネル７の中心位置までの距離（レンズ部８ａの焦点距離）ｆｒから、偏光制御液晶パネル７の半分の厚みｔｇ／２を減じることによって算出されている。
Ｌ２＝Ｄ＋ｔｐ１／Ｎｐ＋ｔｍｇ／Ｎｇ＋ｔｐ２／Ｎｐ＋ｔｘ／Ｎｇ＋ｔｒ／Ｎｇｒ＋（ｆｒ−ｔｇ／２）／Ｎｇｒ・・・（６）
【００３４】
上記式（５）および上記式（６）を、上記式（４）に代入することによって、下記の関係式（７）が導かれる。
（Ｄ＋ｔｐ１／Ｎｐ＋ｔｍｇ／２Ｎｇ）：Ｄ１＝（Ｄ＋ｔｐ１／Ｎｐ＋ｔｍｇ／Ｎｇ＋ｔｐ２／Ｎｐ＋ｔｘ／Ｎｇ＋ｔｒ／Ｎｇｒ＋（ｆｒ−ｔｇ／２）／Ｎｇｒ）：Ｄ２・・・（７）
そして、この式（７）を展開するとともにＤ１＝ｎ×ｄｍｇを代入して、レンチキュラーレンズ８のレンズ部８ａのＸ方向の長さＤ２について解くことによって、以下の式（８）が導出される。
Ｄ２＝｛Ｄ＋ｔｐ１／Ｎｐ＋ｔｍｇ／Ｎｇ＋ｔｐ２／Ｎｐ＋ｔｘ／Ｎｇ＋ｔｒ／Ｎｇｒ＋（ｆｒ−ｔｇ／２）／Ｎｇｒ｝×ｄｍｇ×ｎ／（Ｄ＋ｔｐ１／Ｎｐ＋ｔｍｇ／２Ｎｇ）・・・（８）
この上記式（８）を用いて算出される長さＤ２を用いることによって、容易に、レンチキュラーレンズ８のレンズ部８ａのＸ方向の長さＤ２を、表示パネル２の少なくとも１つの画素２１〜２３のＸ方向の長さＤ１と実質的に対応させることが可能となる。
【００３５】
次に、図１０を参照して、レンチキュラーレンズ８と偏光制御液晶パネル７との位置関係について説明する。レンチキュラーレンズ８のレンズ部８ａのＸ方向の長さＤ２は、偏光制御液晶パネル７の少なくとも１組の偏光制御領域７ａおよび偏光制御領域７ｂのＸ方向の長さＤ３（＝ｎ（偏光制御領域７ａおよび７ｂの数（図１０では、２つ））×ｒｐｌ）と実質的に対応するように設定されている。具体的には、レンチキュラーレンズ８のレンズ部８ａと基材８ｂとの境界を底辺とする三角形Ａ２（ハッチング領域（斜線領域））と、偏光制御液晶パネル７の液晶７３（図６参照）の位置を底辺とする三角形Ａ３とが相似関係となるように、レンチキュラーレンズ８のレンズ部８ａのＸ方向の長さＤ２が設定されている。したがって、上記した三角形Ａ２と三角形Ａ３との相似関係から、観察者１０および２０からレンチキュラーレンズ８のレンズ部８ａと基材８ｂとの境界までの空気換算した距離Ｌ２と、観察者１０および２０から偏光制御液晶パネル７の液晶７３の位置までの空気換算した距離Ｌ３と、レンズ部８ａのＸ方向の長さＤ２と、偏光制御液晶パネル７の少なくとも１組の偏光制御領域７ａおよび偏光制御領域７ｂのＸ方向の長さＤ３とを用いて、以下の関係式（９）が導かれる。
Ｌ２：Ｄ２＝Ｌ３：Ｄ３・・・（９）
【００３６】
また、距離Ｌ３は、上記式（６）により算出されるＬ２と、レンチキュラーレンズ８のレンズ部８ａの焦点距離ｆｒとを用いることによって、以下の式（１０）により算出される。つまり、距離Ｌ３は、焦点距離ｆｒ（図２参照）と、距離Ｌ２とにより算出される。
Ｌ３＝Ｌ２＋ｆｒ・・・（１０）
上記式（１０）を、上記式（９）に代入することによって、下記の関係式（１１）が導かれる。
Ｌ２：Ｄ２＝（Ｌ２＋ｆｒ）：Ｄ３・・・（１１）
そして、この式（１１）を展開して、偏光制御液晶パネル７の少なくとも１組の偏光制御領域７ａおよび偏光制御領域７ｂのＸ方向の長さＤ３について解くことによって、以下の式（１２）が導出される。
Ｄ３＝（Ｌ２＋ｆｒ）×Ｄ２／Ｌ２・・・（１２）
この上記式（１２）により算出される長さＤ３を、長さＤ２と実質的に対応させることが可能となる。
【００３７】
（２画面表示モード）
図１１は、図１に示した一実施形態による画像表示装置の２画面表示モードでの偏光制御液晶パネルを示した拡大図であり、図１２は、図１に示した一実施形態による画像表示装置の２画面表示モードでの表示パネルを示した拡大図である。図１３は、図１に示した一実施形態による画像表示装置の２画面表示方法について説明するための図である。次に、図３および図１１〜図１３を参照して、異なる観察位置に位置する観察者１０および２０に異なる画像を提供する２画面表示モードについて説明する。
【００３８】
まず、本実施形態において、２画面表示モードにおける画像表示装置１では、図１１に示すように、偏光制御液晶パネル７の偏光制御領域７ａおよび７ｂは、それぞれ、４つの短形状の電極７４に対応する領域により構成されている。つまり、透明基板７１に設けられる複数の電極７４の内から選択した４つの電極７４ａに電圧を印加することにより、その選択された電極７４ａに対応する部分がＯＮ状態の偏光制御領域７ａとなり、それ以外の電極７４ｂに対応する部分がＯＦＦ状態の偏光制御領域７ｂとなる。なお、電極７４ａは、本発明の「第１電極」の一例であり、電極７４ｂは、本発明の「第２電極」の一例である。この４つの短形状の電極７４により構成された偏光制御領域７ａおよび７ｂからなる組は、図３に示すように、レンチキュラーレンズ８の各々のレンズ部８ａに対応して１組ずつ設けられている。また、表示パネル２には、図１２に示すように、観察者１０が見るための画像Ｐ１（たとえば、テレビ用画像）と、観察者２０が見るための画像Ｐ２（たとえば、カーナビゲーション用画像）とが表示されている。この画像Ｐ１および画像Ｐ２は、それぞれ、位相差板９の透過領域９ａ（図８参照）および偏光領域９ｂ（図８参照）に対応する領域に表示されている。
【００３９】
上記構成において、図１３に示すように、バックライト５から照射された光は、バックライト５の観察者１０および２０側に配置された偏光板６により、約１３５°の偏光軸を有する光のみを透過した後、偏光制御液晶パネル７に向かって進行する。そして、約１３５°の偏光軸を有する光は、偏光制御液晶パネル７の偏光制御領域７ａおよび７ｂに入射する。この際、偏光制御領域７ａに入射した光は、偏光軸が変化されることなく透過する一方、偏光制御領域７ｂに入射した光は、偏光軸が約９０°変化されて出射される。すなわち、偏光制御領域７ａに入射した光は、約１３５°の偏光軸を有した状態で出射して、偏光制御領域７ｂに入射した光は、約４５°の偏光軸を有した状態で出射する。その後、約１３５°の偏光軸を有した状態で偏光制御領域７ａを出射した光は、レンチキュラーレンズ８により、観察者１０に向かって進行するように集光される。また、約４５°の偏光軸を有した状態で偏光制御領域７ｂを出射した光は、レンチキュラーレンズ８により、観察者２０に向かって進行するように集光される。
【００４０】
そして、観察者１０に向かって進行する約１３５°の偏光軸を有する光は、透過領域９ａおよび偏光領域９ｂを有する位相差板９に入射する。この際、位相差板９の透過領域９ａを透過した光は、偏光軸が変化されることなく透過するととともに、偏光領域９ｂに入射した光は、偏光軸が約９０°変化されて出射される。すなわち、位相差板９の透過領域９ａに入射した光は、約１３５°の偏光軸を有した状態で出射して、偏光領域９ｂに入射した光は、約４５°の偏光軸を有した状態で出射する。その後、約１３５°の偏光軸を有した状態で透過領域９ａから出射された観察者１０に向かう光は、表示パネル２と位相差板９との間の約４５°の偏光軸を有する偏光板４に入射して、偏光板４に吸収される。これに対して、約４５°の偏光軸を有した状態で位相差板９の偏光領域９ｂを通過した光は、そのまま偏光板４を透過して表示パネル２の画像Ｐ１が表示される領域に入射する。このため、観察者１０が見るための画像Ｐ１が表示されている表示パネル２の領域を通過した光が観察者１０に到達するとともに、観察者２０が見るための画像Ｐ２が表示されている表示パネル２の領域を通過した光は観察者１０には到達しない。その結果、観察者１０は、表示パネル２に表示される観察者１０が見るための画像Ｐ１のみを見ることが可能となる。
【００４１】
また、観察者２０に向かって進行する約４５°の偏光軸を有する光は、透過領域９ａおよび偏光領域９ｂを有する位相差板９に入射する。この際、位相差板９の透過領域９ａを透過した光は、偏光軸が変化されることなく透過するととともに、偏光領域９ｂに入射した光は、偏光軸が約９０°変化されて出射される。すなわち、位相差板９の透過領域９ａに入射した光は、約４５°の偏光軸を有した状態で出射して、偏光領域９ｂに入射した光は、約１３５°の偏光軸を有した状態で出射する。その後、約４５°の偏光軸を有した状態で位相差板９の透過領域９ａから出射された観察者２０に向かう光は、表示パネル２と位相差板９との間の約４５°の偏光軸を有する偏光板４に入射して、そのまま偏光板４を透過して表示パネル２の画像Ｐ２が表示される領域に入射する。これに対して、約１３５°の偏光軸を有した状態で位相差板９の偏光領域９ｂを通過した光は、偏光板４に吸収される。このため、観察者２０が見るための画像Ｐ２が表示されている表示パネル２の領域を通過した光は、観察者２０に到達するとともに、観察者１０が見るための画像Ｐ１が表示されている表示パネル２の領域を通過した光は、観察者２０には到達しない。その結果、観察者２０は、表示パネル２に表示される観察者２０が見るための画像Ｐ２のみを見ることが可能となる。
【００４２】
（立体画像表示モード）
図１４〜図１７は、図１に示した一実施形態による画像表示装置の立体画像表示方法を説明するための図である。次に、図１４〜図１７を参照して、異なる観察位置に位置する観察者１０および２０に立体画像を提供する立体画像表示モードについて説明する。
【００４３】
まず、立体画像表示モードにおける画像表示装置１では、図１４に示すように、偏光制御液晶パネル７の偏光制御領域７ａおよび７ｂは、それぞれ、２つの短形状の電極７４に対応する領域により構成されている。つまり、透明基板７１に設けられる複数の電極７４の内から選択した２つの電極７４ｃに電圧を印加することにより、その選択された電極７４ｃに対応する部分がＯＮ状態の偏光制御領域７ａとなり、それ以外の電極７４ｄに対応する部分がＯＦＦ状態の偏光制御領域７ｂとなる。なお、電極７４ｃは、本発明の「第１電極」の一例であり、電極７４ｄは、本発明の「第２電極」の一例である。この４つの短形状の電極７４により構成された偏光制御領域７ａおよび７ｂからなる組は、図１５に示すように、レンチキュラーレンズ８の各々のレンズ部８ａに対応して２組ずつ設けられている。また、表示パネル２には、図１６に示すように、右目１０ａおよび２０ａが見るための右目用画像Ｒ１０と、左目１０ｂおよび２０ｂが見るための左目用画像Ｌ１０とが表示されている。この右目用画像Ｒ１０および左目用画像Ｌ１０は、それぞれ、位相差板９の透過領域９ａ（図８参照）および偏光領域９ｂ（図８参照）に対応する領域に表示されている。
【００４４】
上記構成において、図１７に示すように、バックライト５から照射された光は、バックライト５の観察者１０および２０側に配置された偏光板６により、約１３５°の偏光軸を有する光のみを透過した後、偏光制御液晶パネル７に向かって進行する。そして、約１３５°の偏光軸を有する光は、偏光制御液晶パネル７の偏光制御領域７ａおよび７ｂに入射する。この際、偏光制御領域７ａに入射した光は、偏光軸が変化されることなく透過する一方、偏光制御領域７ｂに入射した光は、偏光軸が約９０°変化されて出射される。すなわち、偏光制御領域７ａに入射した光は、約１３５°の偏光軸を有した状態で出射して、偏光制御領域７ｂに入射した光は、約４５°の偏光軸を有した状態で出射する。その後、約１３５°の偏光軸を有した状態で偏光制御領域７ａを出射した光は、レンチキュラーレンズ８により、右目１０ａおよび２０ａに向かって進行するように集光される。また、約４５°の偏光軸を有した状態で偏光制御領域７ｂを出射した光は、レンチキュラーレンズ８により、左目１０ｂおよび２０ｂに向かって進行するように集光される。
【００４５】
そして、右目１０ａおよび２０ａに向かって進行する約１３５°の偏光軸を有する光は、透過領域９ａおよび偏光領域９ｂを有する位相差板９に入射する。この際、透過領域９ａを透過した光は、偏光軸が変化されることなく透過するととともに、偏光領域９ｂに入射した光は、偏光軸が約９０°変化されて出射される。すなわち、透過領域９ａに入射した光は、約１３５°の偏光軸を有した状態で出射して、偏光領域９ｂに入射した光は、約４５°の偏光軸を有した状態で出射する。その後、約１３５°の偏光軸を有した状態で透過領域９ａから出射された右目１０ａおよび２０ａに向かう光は、表示パネル２と位相差板９との間の約４５°の偏光軸を有する偏光板４に入射して、偏光板４に吸収される。これに対して、約４５°の偏光軸を有した状態で偏光領域９ｂを通過した光は、そのまま偏光板４を透過して表示パネル２の右目用画像Ｒ１０が表示される領域に入射する。このため、右目１０ａおよび２０ａが見るための右目用画像Ｒ１０が表示されている表示パネル２の領域を通過した光は、右目１０ａおよび２０ａに到達するとともに、左目１０ｂおよび２０ｂが見るための左目用画像Ｌ１０が表示されている表示パネル２の領域を通過した光は、右目１０ａおよび２０ａには到達しない。その結果、右目１０ａおよび２０ａは、表示パネル２に表示される右目用画像Ｒ１０のみを見ることが可能となる。
【００４６】
また、左目１０ｂおよび２０ｂに向かって進行する約４５°の偏光軸を有する光は、透過領域９ａおよび偏光領域９ｂを有する位相差板９に入射する。この際、透過領域９ａを透過した光は、偏光軸が変化されることなく透過するととともに、偏光領域９ｂに入射した光は、偏光軸が約９０°変化されて出射される。すなわち、透過領域９ａに入射した光は、約４５°の偏光軸を有した状態で出射して、偏光領域９ｂに入射した光は、約１３５°の偏光軸を有した状態で出射する。その後、約４５°の偏光軸を有した状態で透過領域９ａから出射された左目１０ｂおよび２０ｂに向かう光は、表示パネル２と位相差板９との間の約４５°の偏光軸を有する偏光板４に入射して、そのまま偏光板４を透過して表示パネル２の左目用画像Ｌ１０が表示される領域に入射する。これに対して、約１３５°の偏光軸を有した状態で偏光領域９ｂを通過した光は、偏光板４に吸収される。このため、左目１０ｂおよび２０ｂが見るための左目用画像Ｌ１０が表示されている表示パネル２の領域を通過した光が左目１０ｂおよび２０ｂに到達するとともに、右目１０ａおよび２０ａが見るための右目用画像Ｒ１０が表示されている表示パネル２の領域を通過した光は左目１０ｂおよび２０ｂには到達しない。その結果、左目１０ｂおよび２０ｂは、表示パネル２に表示される左目用画像Ｌ１０のみを見ることが可能となる。
【００４７】
（画像劣化の少ない平面画像表示モード）
図１８〜図２３は、図１に示した一実施形態による画像表示装置の平面画像表示方法を説明するための図である。次に、図１８〜図２３を参照して、異なる観察位置に位置する観察者１０および２０に画像劣化の少ない平面画像を提供する平面画像表示モードについて説明する。
【００４８】
まず、画像劣化の少ない平面画像表示モードにおける画像表示装置では、図１８に示すように、上述した立体画像表示モードと同様に、偏光制御液晶パネル７の偏光制御領域７ａおよび７ｂは、それぞれ、２つの短形状の電極７４に対応する領域により構成されている。つまり、透明基板７１に設けられる複数の電極７４の内から選択した２つの電極７４ｅに電圧を印加することにより、その選択された電極７４ｅに対応する部分がＯＮ状態の偏光制御領域７ａとなり、それ以外の電極７４ｆに対応する部分がＯＦＦ状態の偏光制御領域７ｂとなる。さらに、この画像劣化の少ない平面画像表示モードでは、電極７４ｅおよび電極７４ｆに印加する電圧の印加状態を、１／１２０秒毎に変化させることにより、図１８および図１９に示すように、偏光制御領域７ａの位置と、偏光制御領域７ｂの位置とを入れ替えている。なお、電極７４ｅは、本発明の「第１電極」の一例であり、電極７４ｆは、本発明の「第２電極」の一例である。この偏光制御液晶パネル７の偏光制御領域７ａおよび７ｂからなる組は、図２０に示すように、レンチキュラーレンズ８の各々のレンズ部８ａに対応して２組ずつ設けられている。また、図２１に示すように、表示パネル２には、平面画像Ｓ１が表示されている。
【００４９】
上記構成において、０／１２０秒〜１／１２０秒の間では、図２２に示すように、偏光制御液晶パネル７の偏光制御領域７ａに入射した光は、レンチキュラーレンズ８のレンズ部８ａにより、右目１０ａおよび２０ａに進行される。また、偏光制御領域７ｂに入射した光は、レンズ部８ａにより、左目１０ｂおよび２０ｂに進行される。したがって、右目１０ａおよび２０ａは、位相差板９の偏光領域９ｂに対応する部分の表示パネル２に表示される平面画像Ｓ１を見ることが可能となるとともに、左目１０ｂおよび２０ｂは、位相差板９の透過領域９ａに対応する部分の表示パネル２に表示される平面画像Ｓ１を見ることが可能となる。そして、１／１２０秒〜２／１２０秒の間では、図１９に示すように、偏光制御領域７ａの位置と、偏光制御領域７ｂの位置とが入れ替わるため、偏光制御領域７ａに入射した光は、レンズ部８ａにより、左目１０ｂおよび２０ｂに進行されるとともに、偏光制御領域７ｂに入射した光は、レンズ部８ａにより、右目１０ａおよび２０ａに進行される。したがって、図２３に示すように、右目１０ａおよび２０ａは、透過領域９ａに対応する部分の表示パネル２に表示される平面画像Ｓ１を見ることが可能となるとともに、左目１０ｂおよび２０ｂは、偏光領域９ｂに対応する部分の表示パネル２に表示される平面画像Ｓ１を見ることが可能となる。
【００５０】
そして、２／１２０秒〜３／１２０秒の間では、０／１２０秒〜１／１２０秒の間と同様に、右目１０ａおよび２０ａは、偏光領域９ｂに対応する部分の表示パネル２に表示される平面画像Ｓ１を見ることが可能となるとともに、左目１０ｂおよび２０ｂは、透過領域９ａに対応する部分の表示パネル２に表示される平面画像Ｓ１を見ることが可能となる。そして、３／１２０秒〜４／１２０秒の間では、１／１２０秒〜２／１２０秒の間と同様に、右目１０ａおよび２０ａは、透過領域９ａに対応する部分の表示パネル２に表示される平面画像Ｓ１を見ることが可能となるとともに、左目１０ｂおよび２０ｂは、位相差板９の偏光領域９ｂに対応する部分の表示パネル２に表示される平面画像Ｓ１を見ることが可能となる。このようにして、２／１２０秒（１／６０秒）の間に、観察者１０および２０に、表示パネル２の全域に表示される平面画像Ｓ１を入射させることが可能となるので、観察者１０および２０に、画像劣化の少ない平面画像を観察していると認識させることが可能となる。
【００５１】
（画像劣化の少ない立体画像表示モード）
図２４〜図３０は、図１に示した一実施形態による画像表示装置の立体画像表示方法を説明するための図である。次に、図２４〜図３０を参照して、異なる観察位置に位置する観察者１０および２０に画像劣化の少ない立体画像を提供する立体画像表示モードについて説明する。
【００５２】
まず、画像劣化の少ない立体画像表示モードにおける画像表示装置では、図２４に示すように、上述した立体画像表示モードと同様に、偏光制御液晶パネル７の偏光制御領域７ａおよび７ｂは、それぞれ、２つの短形状の電極７４に対応する領域により構成されている。つまり、透明基板７１に設けられる複数の電極７４の内から選択した２つの電極７４ｇに電圧を印加することにより、その選択された電極７４ｇに対応する部分がＯＮ状態の偏光制御領域７ａとなり、それ以外の電極７４ｈに対応する部分がＯＦＦ状態の偏光制御領域７ｂとなる。なお、電極７４ｇは、本発明の「第１電極」の一例であり、電極７４ｈは、本発明の「第２電極」の一例である。さらに、この画像劣化の少ない立体画像表示モードでは、電極７４ｇおよび電極７４ｈに印加する電圧の印加状態を、１／１２０秒毎に変化させることにより、図２４および図２５に示すように、偏光制御領域７ａの位置と、偏光制御領域７ｂの位置とを入れ替えている。この偏光制御領域７ａおよび７ｂからなる組は、図２６に示すように、レンチキュラーレンズ８の各々のレンズ部８ａに対応して２組ずつ設けられている。また、図２７に示すように、０／１２０秒〜１／１２０秒の間では、表示パネル２の位相差板９の偏光領域９ｂ（図８参照）に対応する領域には、右目用画像Ｒ２０が表示されるとともに、表示パネル２の位相差板９の透過領域９ａ（図８参照）に対応する領域には、左目用画像Ｌ２０が表示されている。そして、１／１２０秒〜２／１２０秒の間では、図２８に示すように、表示パネル２の位相差板９の偏光領域９ｂに対応する領域には、左目用画像Ｌ２０が表示されるとともに、表示パネル２の位相差板９の透過領域９ａに対応する領域には、右目用画像Ｒ２０が表示されている。その後、１／１２０秒毎に、右目用画像Ｒ２０と左目用画像Ｌ２０とが入れ替わるように表示される。
【００５３】
上記構成において、０／１２０秒〜１／１２０秒の間では、図２９に示すように、偏光制御領域７ａに入射した光は、レンズ部８ａにより、右目１０ａおよび２０ａに進行される。また、偏光制御領域７ｂに入射した光は、レンズ部８ａにより、左目１０ｂおよび２０ｂに進行される。したがって、右目１０ａおよび２０ａは、位相差板９の偏光領域９ｂに対応する部分の表示パネル２に表示される右目用画像Ｒ２０を見ることが可能となるとともに、左目１０ｂおよび２０ｂは、位相差板９の透過領域９ａに対応する部分の表示パネル２に表示される左目用画像Ｌ２０を見ることが可能となる。そして、１／１２０秒〜２／１２０秒の間では、図２５に示すように、偏光制御領域７ａの位置と、偏光制御領域７ｂの位置とが入れ替わるため、偏光制御領域７ａに入射した光は、レンズ部８ａにより、左目１０ｂおよび２０ｂに進行されるとともに、偏光制御領域７ｂに入射した光は、レンズ部８ａにより、右目１０ａおよび２０ａに進行される。したがって、図３０に示すように、右目１０ａおよび２０ａは、位相差板９の透過領域９ａに対応する部分の表示パネル２に表示される右目用画像Ｒ２０を見ることが可能となるとともに、左目１０ｂおよび２０ｂは、偏光領域９ｂに対応する部分の表示パネル２に表示される左目用画像Ｌ２０を見ることが可能となる。
【００５４】
そして、２／１２０秒〜３／１２０秒の間では、０／１２０秒〜１／１２０秒の間と同様に、右目１０ａおよび２０ａは、位相差板９の偏光領域９ｂに対応する部分の表示パネル２に表示される右目用画像Ｒ２０を見ることが可能となるとともに、左目１０ｂおよび２０ｂは、位相差板９の透過領域９ａに対応する部分の表示パネル２に表示される左目用画像Ｌ２０を見ることが可能となる。そして、３／１２０秒〜４／１２０秒の間では、１／１２０秒〜２／１２０秒の間と同様に、右目１０ａおよび２０ａは、透過領域９ａに対応する部分の表示パネル２に表示される右目用画像Ｒ２０を見ることが可能となるとともに、左目１０ｂおよび２０ｂは、偏光領域９ｂに対応する部分の表示パネル２に表示される左目用画像Ｌ２０を見ることが可能となる。このようにして、２／１２０秒（１／６０秒）の間に、右目１０ａおよび２０ａに、表示パネル２の全域に表示される右目用画像Ｒ２０を入射させることが可能となるとともに、左目１０ｂおよび２０ｂに、表示パネル２の全域に表示される左目用画像Ｌ２０を入射させることが可能となる。その結果、観察者１０および２０に、画像劣化の少ない立体画像を観察していると認識させることが可能となる。
【００５５】
（本実施形態の効果）
本実施形態では、上記のように、バックライト５から照射された光を、偏光板６を通過した光の偏光軸を変化させずに出射させる偏光制御領域７ａと、偏光板６を通過した光の偏光軸を約９０°変化させて出射させる偏光制御領域７ｂとを含む偏光制御液晶パネル７と、偏光制御液晶パネル７により分離された偏光軸の異なる光を、それぞれ、所定の方向に進行させるように、Ｘ方向に沿って配置された実質的に半円柱状の複数のレンズ部８ａを有するレンチキュラーレンズ８とを設けることによって、レンチキュラーレンズ８を通過した光に指向性を持たせることができる。これにより、観察者１０および２０は、表示パネル２を出射した光を所定の角度の方向に進行するように制限する部材（たとえば、バリア）を介して表示パネル２を観察する場合と異なり、直接表示パネル２を観察することができるので、観察者１０および２０が観察する表示パネル２に表示される画像の輝度が低下するのを抑制することができる。
【００５６】
また、本実施形態では、入射した光の偏光軸を変化させずに透過させる透過領域９ａと、入射した光の偏光軸を９０°変化させて透過させる偏光領域９ｂとを含み、透過領域９ａおよび偏光領域９ｂが、Ｘ方向に沿って延びるように設けられるとともに、Ｙ方向に沿って交互に設けられる位相差板９を設けることによって、位相差板９の透過領域９ａを透過した光と、偏光領域９ｂを透過した光とを分離した状態で、観察者１０および２０側に進行させることができる。これにより、観察者１０は位相差板９の透過領域９ａに対応する表示パネル２の画像Ｐ１を観察するとともに、観察者２０は位相差板９の偏光領域９ｂに対応する表示パネル２の画像Ｐ２を観察することができる。このため、観察者１０および２０は、横ストライプ状の表示パネル２に表示される画像Ｐ１および画像Ｐ２をそれぞれ観察することができる。したがって、観察者１０および２０は、レンチキュラーレンズ８のレンズ部８ａのＸ方向の長さＤ２とは無関係に、表示パネル２のＸ方向に沿って延びる部分の全てを観察することができるので、画素ピッチを小さくしたとしても画素ピッチに合わせてレンズ部８ａのＸ方向の長さＤ２を小さくする必要がない。これにより、Ｘ方向に沿って配列される画素２１〜２３の画素ピッチの小さい高精細な表示パネル２を用いることができるので、観察者１０および２０は、高精細な画像を観察することができる。
【００５７】
また、本実施形態では、レンチキュラーレンズ８のレンズ部８ａのＸ方向の長さＤ２を、上記式（８）から算出することにより、表示パネル２の少なくとも１つ（ｎ個（画素２１〜２３の数））の画素２１〜２３のＸ方向の長さＤ１（ｎ×ｄｍｇ）と実質的に対応するように設定することによって、レンチキュラーレンズ８のレンズ部８ａに入射した光のみが、画像が表示される画素２１〜２３を通過するようにすることができる。これにより、レンズ部８ａとレンズ部８ａとの間の溝部８ｃに入射した光の偏光が乱された場合でも、その偏光が乱された光は、画像が表示される画素２１〜２３を通過しないので、表示パネル２に表示される画質が低下したり、輝度が低下したりするのを抑制することができる。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記実施形態では、レンチキュラーレンズのレンズ部のＸ方向の長さを、画素２つ（ｎ＝２）のＸ方向の長さに対応させたが、本発明はこれに限らず、レンチキュラーレンズのレンズ部のＸ方向の長さを、１つまたは３つ以上の画素のＸ方向の長さに対応させてもよい。但し、高精細な表示パネルを本発明の画像表示装置に適用する場合には、表示パネルの画素のＸ方向の長さが小さくなるので、少数（たとえば、１つ）の画素に対応させるようにレンチキュラーレンズのレンズ部を作成するのが困難になる。そのため、高精細な表示パネルを用いる場合には、多数の画素に対応するようなレンズ部を有するレンチキュラーレンズを用いればよい。
【００６０】
また、上記実施形態では、偏光制御液晶パネル７と位相差板９との間にレンチキュラーレンズ８を配置する例を示したが、本発明はこれに限らず、図３１に示した変形例のように、偏光制御液晶パネル７と位相差板９との間に観察者の左右の目を結んだ方向（Ｘ方向）に対して直交する方向（図３１の紙面と垂直な方向）に延びる複数のレンズ部５８ａからなるストライプ状のプリズムレンズ５８を配置してもよい。この場合でも、プリズムレンズ５８のレンズ部５８ａのＸ方向の長さＤ２、厚みをｔｒおよび屈折率をＮｇｒとすることにより、上記式（８）から算出することが可能なＤ２を用いて、画素２１〜２３のＸ方向の長さＤ１とを対応させるのが好ましい。
【００６１】
また、上記実施形態では、本発明の偏光軸制御手段として偏光制御液晶パネルを用いた画像表示装置について説明したが、本発明はこれに限らず、異なる偏光軸を有する光を出射させる偏光領域を有する位相差板を用いてもよい。この場合、位相差板の偏光領域は、レンチキュラーレンズのレンズ部に対応するように配置する必要がある。なお、偏光制御液晶パネルの代わりに位相差板を用いた場合には、異なる観察位置に位置する観察者に異なる画像を提供する２画面表示モードと、立体画像を提供する立体画像表示モードとのいずれかのみしか動作することができない。
【００６２】
また、上記実施形態では、実質的に半円柱状の複数のレンズ部を含むレンチキュラーレンズを用いる例を示したが、本発明はこれに限らず、レンチキュラーレンズ以外の蝿の目レンズなどを用いてもよいし、Ｙ方向（垂直方向）に沿って延びるとともに、Ｘ方向（水平方向）に沿って隣接して配置される凸状のレンズ部を有するレンズを用いてもよい。
【００６３】
また、上記実施形態の画像劣化の少ない平面画像表示モードおよび立体画像表示モードでは、１／２フレーム期間毎に偏光制御液晶パネル７の偏光制御領域７ａおよび７ｂを入れ替えるように制御する例を示したが、本発明はこれに限らず、偏光制御液晶パネル７の偏光制御領域７ａおよび７ｂを１／ｎ（たとえば、１／４）フレーム期間（ｎは２以上の自然数）毎に入れ替えるように制御してもよい。なお、立体画像表示モードにおいて、偏光制御液晶パネル７の偏光制御領域７ａおよび７ｂを、１／ｎフレーム期間毎に入れ替えるように制御する場合には、表示パネル２の画素列２ａおよび２ｂに表示される右目用画像および左目用画像を１／ｎフレーム期間毎に入れ替える必要がある。
【００６４】
また、上記実施形態では、表示パネルおよび偏光制御液晶パネルは、ＯＦＦ状態で、入射した光の偏光軸を変化させた状態で出射させるとともに、ＯＮ状態で、入射した光の偏光軸をほぼ変化させないで出射させる９０°ＴＮ方式を用いる例について示したが、本発明はこれに限らず、ＶＡ（Ｖｅｒｔｉｃａｌ  Ａｌｉｇｎｍｅｎｔ）方式およびＥＣＢ（Ｅｌｅｃｔｒｉｃａｌｌｙ  Ｃｏｎｔｒｏｌｌｅｄ  Ｂｉｒｅｆｒｉｎｇｅｎｃｅ）方式などの他の方式を用いてもよい。
【００６５】
また、上記実施形態では、偏光板３、４および６の偏光軸を、それぞれ、約４５°、約４５°および約１３５°に設定する例を示したが、本発明はこれに限らず、偏光板３、４および６の偏光軸を上記の値以外の値に設定してもよい。
【図面の簡単な説明】
【００６６】
【図１】本発明の一実施形態による画像表示装置を示した分解斜視図である。
【図２】図１に示した一実施形態による画像表示装置の側面図である。
【図３】図１に示した一実施形態による画像表示装置の表示パネルを観察者が観察した状態を上方から示した図である。
【図４】図１に示した一実施形態による画像表示装置の表示パネルの拡大図である。
【図５】図１に示した一実施形態による画像表示装置の偏光制御液晶パネルの拡大図である。
【図６】図１に示した一実施形態による画像表示装置の偏光制御液晶パネルの分解斜視図である。
【図７】図１に示した一実施形態による画像表示装置のレンチキュラーレンズの斜視図である。
【図８】図１に示した一実施形態による画像表示装置の位相差板の斜視図である。
【図９】図１に示した一実施形態による画像表示装置の表示パネル、レンチキュラーレンズおよび偏光制御液晶パネルの位置関係を説明するための図である。
【図１０】図１に示した一実施形態による画像表示装置の表示パネル、レンチキュラーレンズおよび偏光制御液晶パネルの位置関係を説明するための図である。
【図１１】図１に示した一実施形態による画像表示装置の２画面表示モードでの偏光制御液晶パネルを示した拡大図である。
【図１２】図１に示した一実施形態による画像表示装置の２画面表示モードでの表示パネルを示した拡大図である。
【図１３】図１に示した一実施形態による画像表示装置の２画面表示方法について説明するための図である。
【図１４】図１に示した一実施形態による画像表示装置の立体画像表示モードでの偏光制御液晶パネルを示した拡大図である。
【図１５】図１に示した一実施形態による画像表示装置の立体画像表示モードでの表示パネルを観察者が観察した状態を上方から示した図である。
【図１６】図１に示した一実施形態による画像表示装置の立体画像表示モードでの表示パネルを示した拡大図である。
【図１７】図１に示した一実施形態による画像表示装置の立体画像表示方法について説明するための図である。
【図１８】図１に示した一実施形態による画像表示装置の画像劣化の少ない平面画像表示モードでの偏光制御液晶パネルを示した拡大図である。
【図１９】図１に示した一実施形態による画像表示装置の画像劣化の少ない平面画像表示モードでの偏光制御液晶パネルを示した拡大図である。
【図２０】図１に示した一実施形態による画像表示装置の画像劣化の少ない平面画像表示モードでの表示パネルを観察者が観察した状態を上方から示した図である。
【図２１】図１に示した一実施形態による画像表示装置の画像劣化の少ない平面画像表示モードでの表示パネルを示した拡大図である。
【図２２】図１に示した一実施形態による画像表示装置の画像劣化の少ない平面画像表示方法について説明するための図である。
【図２３】図１に示した一実施形態による画像表示装置の画像劣化の少ない平面画像表示方法について説明するための図である。
【図２４】図１に示した一実施形態による画像表示装置の画像劣化の少ない立体画像表示モードでの偏光制御液晶パネルを示した拡大図である。
【図２５】図１に示した一実施形態による画像表示装置の画像劣化の少ない立体画像表示モードでの偏光制御液晶パネルを示した拡大図である。
【図２６】図１に示した一実施形態による画像表示装置の画像劣化の少ない立体画像表示モードでの表示パネルを観察者が観察した状態を上方から示した図である。
【図２７】図１に示した一実施形態による画像表示装置の画像劣化の少ない立体画像表示モードでの表示パネルを示した拡大図である。
【図２８】図１に示した一実施形態による画像表示装置の画像劣化の少ない立体画像表示モードでの表示パネルを示した拡大図である。
【図２９】図１に示した一実施形態による画像表示装置の画像劣化の少ない立体画像表示方法について説明するための図である。
【図３０】図１に示した一実施形態による画像表示装置の画像劣化の少ない立体画像表示方法について説明するための図である。
【図３１】図１に示した一実施形態による画像表示装置の変形例による表示パネルを観察者が観察した状態を上方から示した図である。
【符号の説明】
【００６７】
１  画像表示装置
２  表示パネル（表示手段）
２１、２２、２３  画素
２１ａ、２２ａ、２３ａ  画素開口部（開口部）
２４  遮光部
３  偏光板（第１偏光板、表示手段）
４  偏光板（第２偏光板、表示手段）
５  バックライト（光源）
７  偏光制御液晶パネル（偏光軸制御手段）
７ａ  偏光制御領域（第１偏光制御領域）
７ｂ  偏光制御領域（第２偏光制御領域）
７１、７２  透明基板
７３  液晶
７４ａ、７４ｃ、７４ｅ、７４ｇ  電極（第１電極）
７４ｂ、７４ｄ、７４ｆ、７４ｈ  電極（第２電極）
７５  電極（第３電極）
８  レンチキュラーレンズ（レンズ）
８ａ  レンズ部
８ｂ  基材
９  位相差板
９ａ  透過領域（第３偏光制御領域）
９ｂ  偏光領域（第４偏光制御領域）
【図１】
2007108521.tif 000003
【図２】
2007108521.tif 000004
【図３】
2007108521.tif 000005
【図４】
2007108521.tif 000006
【図５】
2007108521.tif 000007
【図６】
2007108521.tif 000008
【図７】
2007108521.tif 000009
【図８】
2007108521.tif 000010
【図９】
2007108521.tif 000011
【図１０】
2007108521.tif 000012
【図１１】
2007108521.tif 000013
【図１２】
2007108521.tif 000014
【図１３】
2007108521.tif 000015
【図１４】
2007108521.tif 000016
【図１５】
2007108521.tif 000017
【図１６】
2007108521.tif 000018
【図１７】
2007108521.tif 000019
【図１８】
2007108521.tif 000020
【図１９】
2007108521.tif 000021
【図２０】
2007108521.tif 000022
【図２１】
2007108521.tif 000023
【図２２】
2007108521.tif 000024
【図２３】
2007108521.tif 000025
【図２４】
2007108521.tif 000026
【図２５】
2007108521.tif 000027
【図２６】
2007108521.tif 000028
【図２７】
2007108521.tif 000029
【図２８】
2007108521.tif 000030
【図２９】
2007108521.tif 000031
【図３０】
2007108521.tif 000032
【図３１】
2007108521.tif 000033